(57)【要約】      （修正有）【課題】植え込み樹雑草を根から完全に枯死させ、同時に植え込み樹下の除草にもなる草刈り機を提供する。【解決手段】除草作業は主に手作業であるが、自動カッターに除草剤を点滴し刈り取り葉に付着させ本体を根こそぎ枯死させる。同時に刈り取り上部の回収葉は除草剤が付着しているので植え込み樹の根本近くに広げてやり低雑草や新たな発芽を枯死させ、完璧な除草が出来る事で道路や庭木の植栽低樹の植え込みに繁茂する雑草を一掃する。またこの手法により炎天下の除草作業を軽減し、従来大勢の作業員と警備員の一隊を大幅に削減する。【選択図】図１
2019017330.tif 000002
【特許請求の範囲】
【請求項１】
自動草刈り機に薬液タンクを内蔵し、回転刃に薬液点滴口よりカッターに薬液を点滴しながら葉を刈り取る事の出来る草刈り機。                                              
【請求項２】
草刈り機全般に応用出来るもので、肩掛け式の除草機から大型車の除草車や芝刈り機に自動除草剤点滴装置を取り付けた全ての除草機に、刈り取り草を回収することの出来る回収袋や回収装置を装備した除草刈取り機。
【発明の詳細な説明】
【技術分野】
【０００１】
この出願の発明は、植え込み樹内に繁茂する雑草の除草方法の提供である。
【背景技術】
【０００２】
従来の道路側面の植え込み樹や庭園樹の植え込み樹の中の雑草に多くの関係者が悩まされている。近年は外来種の茅などは特に繁茂力が強く、植え込み樹の中に好んで生え、その繁殖力は旺盛であり、その上に根張りが強く、人力による除草が困難を極める。特に国道縁の植え込み樹中に繁茂する除草作業は根気のいる作業であり、しかも老人の男女の除草作業者が多く、また交通警備員の警護による一団の除草風景を目にすることが多く、異様な光景が夏場の暑い時に見られる。作業人数からして非常に経費が掛かっていると思われる作業内容であるし、特に夏季などの除草はアスファルトの照り返しで、根気のいる手作業である除草は困難を要している。その為作業進捗は悪く、除草といえども莫大な経費がこの道路の植え込み管理には使用されていると推察される。一般的防草対策として、防草シートを施したりして対策を錬る程度であり、国土交通省も苦慮している。現在のところ手作業による除草作業に終始している状況であり、これといった的確な除草方法が見られない。そこで簡単にして除草を実施できて、しかも抜本的で継続的効果のある除草対策方法の確立が望まれる。
【０００３】
植え込みという特殊な環境のため、少量の場合は手で除去する程度で済むが、植え込みより大きくて頑丈なススキや茅類の雑草はとても頑丈で困難である。老人や女性の力では除去できないくらい根張りが強固であり、また刈り取る程度では根が残ってしまい再び繁茂し、除草作業を再び繰り返しているのが実情であり、この作業はいたちごっこになっているのが現状である。
【０００４】
特にこのススキや茅のたぐいは、放置をすれば最終には植え込み樹まで巻き込んでしまい、植え込み樹そのものを枯死させてしまう位の勢いのある悪さをする植物である。その為、美観上新たな再植を要し、その経費たるや莫大なものになっているのが実情である。その対策として簡易的な完璧な除草作業方法の開発が急がれる。
【０００５】
つまりこの発明は、困難を極める手作業による人力での過酷な除草作業より解放し、しかも莫大な経費を使用しての除草作業を改革する。しかも、簡単にして雑草本体の根から全体を枯死させ除去出来る効果がある除草手法である。それは雑草全体を枯死させて再起不能にする除草方法で、一般的な除草剤使用による除去方法である。最近の除草剤は大概は葉から吸収されホルモンバランスを崩す手法の除草剤が多いが、おおむね散布後一週間程度で根まで枯らしてしまう効果があり、しかも散布薬剤は自然分解して無害化する性質を有する。枯死した雑草はそのまま放置すれば１０日もすれば雑草その物も朽ちてきて、植え込み樹の肥料となり吸収される。特に植え込み樹中の雑草の除去作業は植え込み樹をかき分けての除草作業となり、困難を要し苦慮しているのが実情である。完全に雑草を一掃できる事を理想とするが、特にススキの類や外来茅等は非常に頑丈であり、根から全体を一掃する事は困難を極めているのが実情である。しかも、前記したように国道縁の植え込みの雑草面積は計り知れなく、抜本的な除草作業方法が求められる。また除草経費についても、多くの除草作業員による人海戦術の上に、前後4人の警備員を要する作業内容は莫大な経費を浪費していると感じる。その改革方法は、従来の作業員による一過性による除草作業方法は改革されるべきであり、抜本的な除草効果が得られる手法が考案されるべきである。その方法として、機械的除草方法が一般的に考えられるが、少量であれば人力による特殊手袋に除草剤を付けて、雑草をすごくようにすることで目的は達成できるが、作業効率が悪い為に、本来の一斉除草作業よりも更に時間と手間と莫大な経費が必要である。このような現状の国道縁等の植栽管理技術の確立と、その維持管理費を削減すべく抜本的手法を取り入れる改革が必要であると考える。
その為の改革方法は、従来の刈り取りカッターで、葉を刈り取ると同時に除草剤を雑草に同時に付着させるものである。刈り取った草は散乱するとその薬剤が植え込み樹に悪さをするため刈り取り口だけを解放した全体カバーを装着し、最後に刈り取り雑草回収袋に誘導して回収することが出来、除草剤の飛び散りを防止出来る刈り取り機の提案である。この除草方法の導入は、従来の炎天下の老人等の作業員のアスファルト熱波の照り返しを受ける厳しい重労働から解放すると同時に、その管理費全体を軽減することも可能であり、この方法の確立は植栽樹管理法の大改革となり、作業効率の向上と継続的除草効果を発揮する。
【先行技術文献】
【特許文献】
【０００６】
【特許文献１】特願２０１５−１０７０８３号公報
【特許文献２】特願２０００−２７０６５３号公報
【発明の概要】
【発明が解決しようとする課題】
【０００７】
本発明は、真夏の地獄のような炎天下の草取り作業から解放し、同時にそれを交通警護する多くの警備員を灼熱地獄から解放するものである。丁度春先の新芽が出るときには取り残しの雑草は、既に植え込み樹よりも背丈が伸びており街路樹としての美観を損ねているが、これはおそらく冬の間も成長していたと思われる。そこで春先の新芽が芽吹く前にこの特殊刈り取り機で、植え込み樹よりも成長し覆い被さっている雑草を、植え込み樹上部約１０ｃｍ程度で刈り取りしながら同時に除草剤を付着させ、除草剤が付着している刈り取り葉は回収袋に回収する。この刈り取り葉の有効利用として、刈り取り葉は植え込み下の雑草の上に広げておくと雑草防除や新規の雑草の発芽防止になり、一石三鳥の効果が得られる。この一連の作業効果の特筆は、植え込み樹雑草を根から完全に枯死させ、同時に植え込み樹下の除草対策にもつながるもので、従来の老人作業員と交通警備員の重労働を解消し、しかも年間数回実施している作業回数を減らす事による、全体の経費削減にもつながる提案である。
【課題を解決するための手段】
【０００８】
自動草刈り機に薬液タンクを内蔵し、回転刃に薬液点滴口よりカッターに薬液を点滴しながら葉を刈り取る事の出来る草刈り機を提供する。
【０００９】
草刈り機全般に応用出来るもので、肩掛け式の除草機から大型車の除草車や芝刈り機に自動除草剤点滴装置を取り付けた全ての除草機に、刈り取り草を回収することの出来る回収袋や回収装置を装備した除草刈取り機を提供する。
【００１０】
外来種の茅類の雑草はあらゆるところで繁茂し、特に除草困難な場所で生育しては次の時代の種をまき散らし、何回除草しても生えてくるし、この様なススキや茅などの外来植物の広がりは目を見張るものがある。この除草剤添付刈り取り機の機能により、植え込み樹よりも背の高く成長した雑草を枯死させ、同時に新しい新芽の雑草も一掃して、除草しながら次の雑草の発芽も一掃する一挙両得の効果となる除草剤添付刈り取り機を提供するものである。                                                                
【発明の効果】
【００１１】
つまりこの発明は、人力で莫大な経費を使用して除草することなく、簡単にしてしかも根から雑草全体を枯死させて除去出来る効果がある。その手法は、除草剤塗布手法の改革による雑草除去方法である。最近の除草剤は大概は葉から吸収され、ホルモンバランスを狂わせ根まで枯らしてしまい、再起不能にする為に完全に雑草を一掃できる手法である。しかも除草剤は一定時間の経過により自然分解し無害化する為に自然に優しい薬剤である。前記したように国道縁の雑草面積は計り知れなく、その作業経費たるや莫大なもので、従来の老人達と警備員の集団の除草隊による一過性の除草作業よりは遙かに抜本的な除草効果が得られる考案である。
【００１２】
手強い大型の雑草類は根が残っていれば再び繁茂する。つまり、このような雑草は完全に枯死させ再起不能にする事が基本的に必要であり雑草除去の大前提である。特に繁茂力の強いススキや外来植物の茅類は根絶することが得策である。その為の除草方法の手段として、本案の機械的除草剤塗布刈り取り葉回収方法の除草機を提案するものである。少量であれば人力による特殊手袋に除草剤を付けて雑草をしごくようにすることで根まで枯死させ目的は達成できるが、本来の一斉除草よりも更に一段と手間と時間が増大し、莫大な経費が必要であり、現状の国道縁等の維持管理費を削減すべくところが余分に費用が掛かってしまう欠点を有する。
【００１３】
そこで本案の自動刈り取り除草剤点着機によって植え込み樹より背丈が伸びている雑草を刈り取ることで目的は完全に達成できる。その方法は、従来の刈り取りチェーンソー型バリカンで葉を刈り取ると同時に、除草剤を雑草に瞬時に付着させるものである。刈り取った草は散乱するとその薬剤が植え込み樹に悪さをするため、機械構造は刈り取り部だけを開口とし、開口部以外は刈り取り機全体がカバーによって覆われており、除草剤の飛び散り防止を完全なものとし、刈り取った草は回収装置によって回収する一体型刈り取り機の機能である。
【００１４】
また、同時に刈り取った雑草は回収装置より取り出して植栽樹に触れないように植栽樹根本の周辺部に敷く事によって、植え込み根本の除草できない背丈の低い雑草やこれから発芽する雑草を枯死させ、植え込み樹下部の雑草除去と新たな雑草発芽を完全に抑える効果を発揮する。その作業効果は、この刈り取り機を使用することにより、従来の炎天下の老人作業員の重労働を解放し、同時に莫大な除草作業の経費削減にもつながる。特に特筆すべく事は、手強い大型のススキや外来茅を根本まで枯死させて再起不能にする効果を発揮する。また、新しく繁殖しょうとする雑草類の発芽も押さえることが出来る一石五鳥の効果が得られるものである。
【００１５】
これらの雑草対策は、一つは夏場の雑草取りから解放される。一つは外来種雑草の除去につながるし、外来種雑草の駆除となる。一つは発芽しようとする新しい雑草の枯死処理が出来る。一つは従来の作業回数を減らし毎回の作業量を減らすことにつながる。一つは経費が削減できてその分の財源活用に繋がり、いわゆる一挙五得が実現するものである。これらの一連の除草効果により、過酷な重労働が軽減されるし、経費削減にもつながり、しかも全国的にも国道植え込み樹の景観が良くなり、国道の美観上の効果によりドライバーにも快適な環境を与えて、よりよい車社会を築き上げる効果につながる。
〔発明を実施するための最良形態〕
〔実施例１〕
【００１６】
従来の除草は根が完全に取りきれないからいいか、種が散乱しているがいいか、目に見えないような草が発芽しているがいいかに終わってしまっており、除草の完璧は期せないのが現状である。しかし、本発明の刈り取り機の除草剤添付効果により、植物切断面より除草剤吸収効果を与え、残っている刈り取り部より下部組織へ薬剤が浸透し、根まで到達して全体を枯死させるため、同一個体は再び繁茂することはない。また、刈り取った雑草上部の葉は、除草剤が付着している為に回収装置に回収し、回収装置全体を攪拌することで除草剤を刈り取り葉全体に付着させる。その除草剤が全体に付着した刈り取り葉の雑草上部を、植え込み樹下部の低い背丈の雑草上に敷くことで防除効果となったり、新規発芽の雑草発芽の上に敷くだけで除草剤効果が得られ、刈り取り本体の草と同時に新しく発芽している草の除草剤効果も得られる一挙両得案である。
【００１７】
本案の刈り取り機使用については、従来の老人パワー除草隊でなく、機敏性の高い若い人が担当し、刈り取り葉の雑草発芽敷設は老人が担当することで連係プレーができる。人数も従来より半減した人員で作業効率が高まり、処理時間も従来の除草隊の作業時間の1割程度で終了することが可能であり、仕事量は十倍の機能か働くメリットが発生する。
【００１８】
植え込み樹上を超えてきた雑草を電動カッター手元（１０１）を持って、草刈り入れ口（１０３）より雑草を取り入れて、カッター回転刃（１０４）の回転により雑草を巻き込み切断する。その時に除草剤タンク（１０２）の除草剤点滴口（１０７）より除草剤が雑草の切断面に塗布される。カッター回転刃（１０４）が回転することにより、除草剤がカッター回転刃（１０４）に自動添着し、刈り取り葉のカット部分に付着する。カットした葉はカッター回転刃（１０４）の回転により移動し、移動してきた雑草上部を回収袋（１０８）前の草誘導板（１０９）により誘導され、草回収袋（１０８）に回収する。
【００１９】
草回収袋（１０６）が満杯になれば袋を脱着し、満杯の草回収袋（１０６）を攪拌することで刈り取りの雑草上部の全体に除草剤を付着拡散させる。この全体的に除草剤が付着した回収草を、植え込み樹下に敷き詰める作業員に渡し、作業員は直ちに攪拌しゴム手袋で草回収袋（１０６）より草を取り出し、植え込み樹下の周辺に敷き詰める。その時に植え込み樹本体部分に触れないように注意して敷き詰める。また植え込み樹下の部分が道路面にまで伸びて接していて根回りに隙間がない場合は、あらかじめ草刈り機で植え込み樹下部をカットし空間部を作っておき、木の下にある比較的背丈の低い雑草上部や、新規の雑草の発芽体の上に広げてやると、丈の低い雑草や新規発芽体の雑草防除と発芽抑制の効果となる。
【００２０】
従来の除草作業は、大勢の作業員と交通警備員を投入していたが、本案の除草作業員は交通警備員を含め、一班当たり従来より半減した作業員で作業出来るメリットがある。従来の除草作業は１０人くらいの作業員に前後の交通警備員が４名位ついての大がかりの作業であるが、この作業費をざっと計算するだけで、相当な費用が掛かっているのではないかと思われる。このような除草作業のあり方は、大変な労力と経費の無駄遣いと考えるもので、このような除草に関わる事業は日本国中至る所で実施されているもので、簡単にして作業が出来て作業効率の良い本案は、作業員・交通警備員の人数は少なくとも三分の一以下で済むことになり、経費と労力の大幅削減につながる。
【００２１】
しかも、目的物の雑草そのもの本体を枯らす効果がある。また、一面が雑草であり全体的に完全除草の目的の場合には、本発明は草刈り機全般に応用出来るもので、肩掛け式の除草する目的で刈り払い機にも除草剤自動点滴装置を付けることにより応用できるし、また一般の大型除草機にも自動点滴することで応用できるものである。また、これらの刈り払いの散乱草の放置によって、刈り取り上部の除草剤の付着した部分の効果で、周辺部の刈り払い機で処理できない小草や発芽したばかりの小草にも効果を発揮することが出来る。またゴルフ場の芝刈りの作業は雑草の上部のみを刈り取ることで効果が現れるので、従来の手作業で芝生内の雑草を１本ずつ処理する作業は、気の遠くなるような作業である。このように雑草処理現場は相当な時間と経費を投入している実態があるが、本案の自動点滴除草剤塗布カッターの効果によって、とてつもない作業の軽減と経費の削減につながる。
【図面の簡単な説明】
【００２２】
【図１】本発明の除草剤塗布カッターと草回収袋の外観を示す。
【符号の説明】
【００２３】
（１０１）電動カッター手元                                                      （１０２）  除草剤タンク                                                        （１０３）  草刈り入れ口                                                        （１０４）カッター回転刃
（１０５）カッターカバー
（１０６）草回収袋
（１０７）除草剤自動点滴口
（１０８）除草剤注入口
（１０９）草誘導板
【図１】
2019017330.tif 000003